(57)【要約】【課題】触媒に二次空気を供給する際、機関吸気量を正確に算出して空燃比制御し排気エミッションを良好に維持する。【解決手段】機関１に供給される吸入空気量を検出するエアフローメータ１３と、エアフローメータ下流に設けられ機関１に供給される空気を過給する過給機３５と、排気通路３に設けられた触媒３６、３７の上流に二次空気を供給する時、エアフローメータ１３を通過した空気を過給機３５をバイパスさせて機関１に供給するとともに、エアフローメータ１３を通過しない空気を過給機３５にて過給し、二次空気として触媒３６、３７の上流に供給する。【選択図】      図１
2005016351.tif 000002
【特許請求の範囲】
【請求項１】
内燃機関に供給される吸入空気量を検出する吸入空気量検出手段と、該吸入空気量検出手段の下流に設けられ該内燃機関に供給される空気を過給する過給手段と、を備えた内燃機関の二次空気供給装置において、
排気通路に設けられた触媒の上流に二次空気を供給する時、前記吸入空気量検出手段を通過した空気を前記過給手段をバイパスさせて前記内燃機関に供給するとともに、前記吸入空気量検出手段を通過しない空気を前記過給手段にて過給し、二次空気として前記触媒の上流に供給する、
ことを特徴とする内燃機関の二次空気供給装置。
【発明の詳細な説明】
【０００１】
【発明の属する技術分野】
本発明は、内燃機関の二次空気供給装置に関し、特に、排気通路に配置した排気浄化用触媒に蓄積された被毒物質を被毒解消操作、すなわち触媒温度を上昇させて触媒から被毒物質を放出させる操作を行うことにより、被毒物質による触媒の排気浄化能力の低下を防止する内燃機関の二次空気供給装置に関する。
【０００２】
【従来の技術】
機関排気通路に、排気浄化触媒を配置して排気中の有害物質を浄化する技術が知られている。このような排気浄化触媒には、使用とともに排気中の特定の成分（被毒物質）を吸収、吸着等により吸蔵し、被毒物質の吸蔵量増大とともに排気浄化能力が低下するものがある。
【０００３】
例えば、排気浄化触媒として、流入する排気空燃比がリーンのときに排気中の窒素酸化物（ＮＯＸ）を吸収、吸着またはその両方により吸蔵し、流入する排気空燃比がリッチになったときに吸蔵したＮＯＸを還元浄化するＮＯＸ吸蔵還元触媒が知られているが、ＮＯＸ吸蔵還元触媒は排気中に硫黄酸化物（ＳＯＸ）が含まれると、ＮＯＸと同様にＳＯＸを吸蔵する。
【０００４】
しかも、ＳＯＸはＮＯＸ吸蔵還元触媒内で安定した硫酸塩を形成するため、ＮＯＸのように単に排気空燃比をリッチにしただけでは触媒から放出されず、徐々にＮＯＸ吸蔵還元触媒中に吸蔵された硫黄成分の量が増大するにつれてその分だけＮＯＸの吸蔵能力が低下する。すなわち、ＮＯＸ吸蔵還元触媒は排気中の被毒物質としての硫黄を吸蔵し、硫黄による被毒を生じる。
【０００５】
ＮＯＸ吸蔵還元触媒の硫黄被毒を解消するためには、排気空燃比をリッチにしただけでは足りず、排気空燃比をリッチにするとともに触媒温度を通常運転時より高い所定の温度まで上昇させる被毒解消操作が必要となる。
被毒解消操作時に触媒温度を通常運転時より高い所定温度まで上昇させるためには、触媒に未燃燃料などの炭化水素（ＨＣ）やＣＯ成分を比較的多量に供給するとともに、充分な酸素を供給してＨＣやＣＯ成分を触媒上で燃焼させることが有効である。
【０００６】
このため、被毒解消操作時に機関をリッチ空燃比で運転することにより、排気中のＨＣやＣＯ成分量を増大させるとともに、触媒に二次空気を供給することにより燃焼に必要な酸素を触媒に供給して効率的に触媒を昇温することが提案されている（特許文献２参照）。
通常、触媒の昇温は機関冷間始動時に短時間で触媒温度を活性化温度に到達させるためにも必要となる。このため、通常は始動時にも昇温操作を行うために専用のエアポンプを設けて触媒に二次空気を供給することが行われている。
【０００７】
ところで、リーン空燃比運転を行ういわゆるリーンバーンエンジンでは、リーン空燃比運転を行う負荷領域を拡大するためにターボチャージャ（過給機）を設ける場合がある。この場合、排気エネルギーが比較的比較的小さくなる低負荷リーン空燃比運転領域でも過給機の回転を高く維持することがで必要であり、このため通常電動機で補助的に過給機のコンプレッサを駆動する、モーターアシストターボチャージャー（ＭＡＴ）を用いている。
【０００８】
一般に、排気系に過給機を設けると排気系の熱容量の増大や過給機による排気温度の低下などのために触媒の温度が上昇しにくくなるため、機関始動時や被毒解消操作時には上述した二次空気を用いる昇温操作の必要性が大きくなる。それゆえ、ＭＡＴを使用すれば、機関始動時にもモーターでコンプレッサを駆動して充分な量の空気を機関に供給することができる。
【０００９】
従ってＭＡＴを使用して、過給機下流側の吸気通路から触媒に二次空気を供給してやれば、二次空気供給用のエアポンプを別途設けることなく触媒の暖機や被毒解消操作時に、常に充分な量の二次空気を供給することができ、二次空気供給系の構成を簡易なものにすることができる。
ところが、このように過給機下流側の吸気通路から二次空気を供給すると機関の吸入空気量を検出する上で問題が生じる場合がある。
【００１０】
通常、機関の吸入空気量は過給機上流側の吸気通路に設けた流量計（エアフローメータ）により検出する。しかし、二次空気は過給機の下流側吸気通路から取り出す必要があるため、二次空気の供給が行われるとエアフローメータで検出した吸気流量より実際に機関に吸入される吸気流量が二次空気の分だけ少なくなってしまい、エアフローメータでは吸気流量を正確に検出することができないという問題が生じるのである。
【００１１】
この問題は、過給機の下流側の吸気通路にエアフローメータを配置して二次空気分岐後の吸気流量を検出すれば解決するが、過給機を通過した吸気には微量ながら過給機の潤滑油が混入しているため、過給機下流側にエアフローメータを配置すると検出部への潤滑油付着などによりエアフローメータの検出値の信頼性が低下する問題があり、過給機下流側にエアフローメータを配置することはできない。
【００１２】
このため、例えば特許文献１ではエアフローメータに加えて過給機下流より分岐した二次空気通路にも流量計測手段を設け、二次空気供給時には機関吸気流量をエアフローメータで検出した吸気流量から流量計測手段で計測した二次空気流量を差し引いた値として算出するようにして、機関吸気流量に誤差が生じることを防止している。
【００１３】
【特許文献１】
特公平７−４２８７３号公報
【特許文献２】
特開平１１−２８０４５６号公報
【００１４】
【発明が解決しようとする課題】
上記特許文献１のように二次空気流量を計測する場合にも過給機のコンプレッサを通過した空気を流量計測手段で計測することとなるため、計測値の信頼性が低下する問題がある。つまり、上記特許文献１では、流量計測手段として過給機通過空気に含まれる潤滑油の影響が生じにくいオリフィスを二次空気供給通路に配置し、オリフィスの上流側と下流側の差圧を検出して流量に換算するようにしている。
【００１５】
しかし、特許文献１のようにオリフィスを用いて二次空気流量を正確に検出する場合には、オリフィス開口部を絞って上流側と下流側との差圧を充分に大きくする必要があるが、差圧を大きく設定すると二次空気通路の圧損が増大してしまうためオリフィス差圧を充分に大きく設定できず、流量検出精度を充分に高くできない場合が生じる。
【００１６】
前述したように、触媒の被毒解消操作中は機関排気空燃比をリッチ空燃比にして、二次空気を触媒に供給するが、この場合には機関排気空燃比を適切な値に正確に制御する必要がある。例えば、排気空燃比のリッチ度合いが大きすぎると排気中のＨＣやＣＯが増大し、触媒で燃焼せずに下流側に流出するＨＣやＣＯの量が増大するため、被毒解消操作中機関空燃比は理論空燃比よりややリッチ側の値に正確に制御してＨＣやＣＯの発生量を低減することが好ましい。
【００１７】
しかし、特許文献１の装置では二次空気量の流出検出精度が低いことから、正確に機関吸気量を算出できない場合が生じ、機関の空燃比を正確に制御できなくなる問題が生じる。
それゆえ、本発明は、上記問題を解決し、すなわち機関吸気量を正確に算出することにより、機関の空燃比を正確に制御し、機関冷間始動時または被毒解消操作時には機関をリッチ空燃比で運転することにより排気中のＨＣやＣＯ成分量を増大させるとともに、触媒に二次空気を供給することにより燃焼に必要な酸素を触媒に供給して効率的に触媒を昇温し、さらにＮＯｘ吸蔵還元触媒を早期に冷却して触媒の温度を許容範囲（ウインドウ）内にするため触媒に二次空気を供給する、内燃機関の二次空気供給装置を提供することを目的とする。
【００１８】
【課題を解決するための手段】
上記目的を達成する内燃機関の二次空気供給装置は、
内燃機関に供給される吸入空気量を検出する吸入空気量検出手段と、該吸入空気量検出手段の下流に設けられ該内燃機関に供給される空気を過給する過給手段と、を備えた内燃機関の二次空気供給装置において、排気通路に設けられた触媒の上流に二次空気を供給する時、前記吸入空気量検出手段を通過した空気を前記過給手段をバイパスさせて前記内燃機関に供給するとともに、前記吸入空気量検出手段を通過しない空気を前記過給手段にて過給し、二次空気として前記触媒の上流に供給する、ことを特徴とする。
【００１９】
上記内燃機関の二次空気供給装置では、冷間始動時や被毒解消操作時に、過給手段は吸入空気量検出手段を通過しない空気を過給して、二次空気として排気通路に設けられた触媒の上流に供給して触媒を昇温するので、触媒の早期活性化、触媒の被毒解消が可能となる。また、二次空気を触媒の上流に供給する時に吸入空気量検出手段を通過した空気を過給手段をバイパスさせて内燃機関に供給するので、内燃機関に供給される吸入空気量を正確に検出でき、それゆえ高精度な空燃比制御が可能となり排気エミッションが良好となる。
【００２０】
【発明の実施の形態】
以下、添付図面を参照して本発明の実施形態を詳細に説明する。
図１は本発明による内燃機関の二次空気供給装置の一実施形態の概略構成図である。図１に示す内燃機関（エンジン）１は、自動車用内燃機関を示し、４気筒ガソリン機関とされる。また、機関１は、運転領域の大部分の領域でリーン空燃比運転が可能な、いわゆるリーンバーンエンジンとされている。
【００２１】
図１において、吸気通路２に接続されたサージタンク２１は吸気枝管を介して各気筒の吸気ポートに接続されている。各気筒の吸気ポートにはそれぞれの燃料噴射弁（図示せず）から機関１の１回転毎に燃料が噴射される。各気筒の排気ポートに接続された排気マニホルド３１は排気通路３に接続されている。
【００２２】
本実施形態では、機関１の過給を行なう過給機３５が設けられており、過給機３５の排気入口には排気通路３が接続されており、過給機３５の吸気吐出口には吸気通路２、吸気切換弁４２を経由した二次空気通路５２が接続されている。吸気切換弁４２の動作は後で説明する。
本実施形態では、過給機３５は排気通路３に配置されたタービン３５ａと吸気通路２に配置されたコンプレッサ３５ｂとを連結するシャフトを駆動するモータ３５ｃを備えており、タービン３５ａに加えて補助的にモータ３５ｃを用いてコンプレッサ３５ｂを駆動することが可能なモーターアシストターボチャージャ（ＭＡＴ）の形式とされる。
【００２３】
通常、機関１がリーン空燃比で運転されている場合には機関排気温度は理論空燃比運転時に較べて低くなり、排気の持つエネルギが低いため過給機３５のタービン３５ａの回転数があまり上昇せず過給圧も低くなる。このため、リーン空燃比運転中は通常であれば良好な過給効果が得られず、リーン空燃比を維持したまま出力を増大することが困難な場合がある。
【００２４】
これに対して、過給機（ＭＡＴ）３５を用いた場合には、排気タービン３５ａに加えて電動モータ３５ｃによりコンプレッサ３５ｂを駆動することができるため、リーン空燃比運転時にも過給機の回転数を上昇させ高い過給圧を得ることが可能となる。これにより、本実施形態では機関１への燃料供給量の増大に応じて機関１への充填吸気量を増大させ、リーン空燃比を維持しながら高出力を得ることが可能となるため、リーン空燃比運転領域を高出力側に拡大することが可能となっている。
【００２５】
また、機関１に流入する吸気が流れる吸気入口通路１１には、エアクリーナ１２を介して機関１に流入する吸気流量を検出するエアフローメータ１３が設けられている。一方、吸気切換弁４１を経由してＭＡＴ３５に流入する吸気が流れる吸気入口通路５１の入口には、エアクリーナ１４が設けられている。本実施形態では、エアフローメータ１３としてはベーン式、超音波式、熱線式などの公知の形式のエアフローメータの何れかが使用される。
【００２６】
吸気切換弁４１および４２は、次のように動作する。通常機関運転時には、吸気切換弁４１および４２共に（イ）の位置にあり、エアクリーナ１２から流入した空気を吸気入口通路１１、コンプレッサ３５ｂを介して機関１に連通し、エアクリーナ１４、吸気入口通路５１を介して機関１に流入する空気の流入を遮断する。エアフローメータ１３を通過し機関１に流入する空気の過給手段のバイパス時には、吸気切換弁４１および４２共に（ロ）の位置にあり、エアクリーナ１２から流入した空気を吸気入口通路１１、吸気通路１６を介して機関１に連通し、エアクリーナ１４、吸気入口通路５１、コンプレッサ３５ｂを介して機関１への空気の流入を遮断してこの空気を二次空気として、二次空気通路５２、流量制御弁５０、二次空気通路５３、５４を介して触媒３６、３７に供給する。
【００２７】
ＭＡＴ３５のタービン３５ａ下流側の排気通路３には、三元触媒からなるスタートキャタリスト（ＳＣ）３６と、その下流側にＮＯＸ吸蔵還元触媒３７がそれぞれ配置されている。
スタートキャタリスト３６は、機関始動後短時間で活性化温度まで昇温するように比較的小容量のものとされ、機関始動直後の排気浄化を行う。
【００２８】
また、本実施形態ではコンプレッサ３５ｂと吸気切換弁４２の間には二次空気通路５２内の過給圧を検出する圧力センサ１５が設けられている。後述するように圧力センサ１５で検出した過給圧は機関１の運転状態に応じた機関１への吸気流量をフィードバック制御するために用いられる。
また、排気通路３には、触媒３６の上流に空燃比（Ａ／Ｆ）センサ３８が、触媒３６の下流で触媒３７の上流に空燃比（Ａ／Ｆ）センサ３９がそれぞれ配設されており、触媒３７の下流には排気温センサ４０が配設されている。
【００２９】
ＮＯＸ吸蔵還元触媒３７は、流入する排気の空燃比がリーンのときに排気中の窒素酸化物（ＮＯＸ）を吸着、吸収またはその両方で吸蔵し、流入する排気の空燃比がリッチになったときに吸蔵したＮＯＸを還元浄化する触媒である。
本実施形態では、機関１は大部分の運転領域でリーン空燃比運転が可能な機関であり、機関１がリーン空燃比運転される状態では、排気中のＮＯＸはＮＯＸ吸蔵触媒３７に吸蔵される。
【００３０】
なお、ＮＯＸ吸蔵触媒３７に吸蔵したＮＯＸは、リーン空燃比運転中に短時間機関１をリッチ空燃比で運転するリッチスパイク操作を行い、ＮＯＸ吸蔵触媒３７にリッチ空燃比の排気を供給することにより還元浄化される。
しかし、ＮＯＸ吸蔵触媒３７には排気中に含まれる微量の硫黄酸化物（ＳＯＸ）もＮＯＸと同様に吸蔵されるが、ＮＯＸ吸蔵還元触媒に吸蔵されたＳＯＸは安定した硫酸塩を形成するためＮＯＸのように単にリッチスパイク操作を行っただけではＮＯＸ吸蔵還元触媒から放出させることはできない。このため、運転中徐々にＮＯＸ吸蔵還元触媒３７のＳＯＸ吸蔵量が増大し、吸蔵されたＳＯＸの分だけ吸蔵可能なＮＯＸ量が低下する、いわゆる硫黄被毒が生じる。
【００３１】
硫黄被毒を解消するためには、前述したように排気空燃比をリッチにするとともに触媒３７に二次空気を供給し、未燃ＨＣ、ＣＯ等の可燃成分を触媒３７上で酸化する昇温操作が必要となる。
【００３２】
図２は図１に示す二次空気供給装置に装備されたＥＣＵの説明図である。図２に示すエンジン制御ユニット（ＥＣＵ）６０は、一般的なディジタルコンピュータからなり、図示しない双方向性バスを介して相互に接続されたＣＰＵ、ＲＡＭ、ＲＯＭ、入力ポートおよび出力ポート、ならびに入力ポートに接続されたＡＤ変換器および出力ポートに接続された駆動回路を具備する。
【００３３】
入力ポートには、ＥＣＵ６０を搭載する車両の各部に設置された上述した各種センサからのアナログ電圧出力がＡＤ変換器を介して入力されるか、あるいは各種センサからのディジタル信号が直接入力される。入力ポートにはエアフローメータ１２、圧力センサ１５、Ａ／Ｆセンサ３８、３９、排気温センサ４０、シリンダブロック１のウォータジャケット内に設けられ機関１の冷却水温ＴＨＷを検出する水温センサ６１、機関クランク軸（図示せず）近傍に配置され機関クランク軸一定回転角毎にパルス信号を出力する回転数センサ６２が接続されている。出力ポートから駆動回路へのＥＣＵ６０による制御信号に応じて、図示しないバッテリまたはオルタネータから吸気切換弁４１、４２、流量制御弁５０およびＭＡＴ３５ｃ、燃料噴射弁４３等の電気的負荷に電力が供給される。
【００３４】
図３は図１に示す二次空気供給装置における機関冷間時の二次空気制御のフローチャートである。本ルーチンのステップ３０１では、水温センサ６１により機関１の水温ＴＨＷを検出して、水温ＴＨＷ＜８５°Ｃのときは機関１は冷間時であり、触媒ＳＣ３６が二次空気を要求していると判定してステップ３０２に進み、水温ＴＨＷ≧８５°Ｃのときは機関１は暖機し、触媒ＳＣ３６が二次空気を要求していていないと判定してステップ３２１に進む。
【００３５】
ステップ３２１では、エアフローメータ１３を通った吸気のみが機関１に流入するように吸気切換弁４１および４２を共に閉弁（図１のイの位置）する。この場合、エアクリーナ１４、吸気通路５１を通過した空気は、吸気切換弁４１により吸気通路２に流入することを遮断され、エアクリーナ１２、吸気通路１１を通過した空気は、エアフローメータ１３、コンプレッサ３５ｂ、吸気通路２を通って機関１に流入する。一方、吸気通路５２を通る空気は、流量制御弁５０を閉じることにより二次空気をＳＣ３６およびＮＯｘ吸蔵還元触媒３７に供給しない。
ステップ３２２では、通常時の空燃比制御を実行する。すなわち、Ａ／Ｆセンサ３９の出力値が目標空燃比となるように燃料噴射量を制御する。
【００３６】
ステップ３０２では、ＳＣ３６を早期に暖機し活性化して早期に排気の浄化を行うためＳＣ３６に二次空気を供給すべく吸気切換弁４１および４２を共に開弁（図１のロの位置）する。この場合、吸入空気量検出手段（エアフローメータ）１３を通過した空気を過給手段（過給機）３５をバイパスさせて機関１に供給するとともに、エアフローメータ１３を通過しない（エアクリーナ１４を通過した）空気を過給機３５にて過給し、二次空気として触媒３６の上流に供給する。
ステップ３０３〜３０７は機関１からの排ガスの空燃比を目標空燃比に制御する一般的な空燃比制御のための処理であり、ステップ３１１〜３１４は機関冷間時の触媒への二次空気供給制御のための処理である。
ステップ３０３ではエアフローメータ１３により計測された吸入空気量Ｑを読取る。
【００３７】
ステップ３０４では読取った吸入空気量Ｑと回転数センサ６２から読取った機関１の回転数ＮＥとから機関１の一回転当たりの吸気量Ｑ／ＮＥを算出し、理論空燃比よりわずかにリッチな空燃比を目標空燃比とする各気筒の燃料噴射量ＦＩＪ＝（Ｑ／ＮＥ）×ＢＡＦを算出する。ここで、ＢＡＦは機関一回転当たりに単位量（例えば１リットル／回転）の吸気が吸入された場合に機関１の燃焼空燃比を目標のリッチ空燃比にするために必要とされる燃料量である。
ステップ３０５では、所定のクランク角周期に各燃料噴射弁４３からステップ３０４で算出した燃料量ＦＩＪを噴射し、機関１をリッチ燃焼させる。
【００３８】
ステップ３０６ではＳＣ３６の直前の空燃比センサ３８の出力値を取込む。
ステップ３０７では、機関１の排気空燃比が、目標空燃比となるように制御されているか否かを判定する。具体的には、空燃比センサ３８の出力値が所定の目標空燃比の範囲内にあるか否かを判定し、その判定結果がＹＥＳのときは機関１は目標空燃比通りに制御されていると判定しステップ３０１に戻り、その判定結果がＮＯのときは機関１は目標空燃比通りに制御されていないと判定してステップ３１４に進む。ここで、この目標空燃比は理論空燃比よりわずかにリーンな空燃比である。
【００３９】
一方、ステップ３１１では、機関１の回転数ＮＥと吸入空気量Ｑで定まる機関運転状態に応じて予め設定したマップを参照して目標過給圧を設定する。このマップは、アクセル開度センサ（不図示）により検出されるアクセル開度と機関１の回転数ＮＥで定まる機関運転状態に応じて過給圧を設定したものでもよい。
ステップ３１２では、触媒（ＳＣ）３６の昇温が必要な場合に、機関１をリッチ空燃比で運転するとともに、圧力センサ１５の出力、すなわち実過給圧がステップ３１１で設定した過給圧になるように補助モータ３５ｃの回転数をフィードバック制御する。
【００４０】
ステップ３１３では、二次空気供給用の流量制御弁５０を開弁して吸気通路５１から流入しＭＡＴ３５のコンプレッサ３５ｂを経由して流れる二次空気を全て流量制御弁５０、二次空気通路５３を経由して触媒３６上流側の排気通路３に供給する。
ステップ３１４では流量制御弁５０を調節してＳＣ３６への二次空気量を増減し、ステップ３０６に戻る。この二次空気量の増減は、ステップ３０７の判定時に、空燃比センサ３８の出力値＞＞目標空燃比のときは、空気量が過多と判定し二次空気量を減量し、空燃比センサ３８の出力値＜＜目標空燃比のときは、空気量が過少と判定し二次空気量を増量する。
【００４１】
この場合、例えば機関冷間始動時に触媒３６を早期に活性化温度まで到達させるための触媒昇温操作（触媒暖機操作）では、ＥＣＵ６０は機関１をリッチ空燃比で運転するとともに、空燃比センサ３８で検出した触媒３６入口の排気空燃比が理論空燃比よりわずかにリーンな空燃比になるように二次空気量をフィードバック制御する（ステップ３１４）。これにより、機関冷間始動時のリッチ空燃比運転により発生する比較的多量のＨＣ、ＣＯ等の可燃成分は触媒３６上で燃焼するため、リッチ空燃比運転により排気性状が大幅に悪化することが防止されるとともに、触媒温度が短時間で活性化温度に到達するようになる。
【００４２】
図４は図１に示す二次空気供給装置における触媒の硫黄被毒回復制御時の二次空気制御のフローチャートである。本ルーチンのステップ４０１では、ＮＯＸ吸蔵還元触媒３７に吸蔵されたＳＯＸが、所定値より大きいときは触媒３７の硫黄被毒回復要求有りと判定してステップ４０２に進み、所定値以下のときは触媒３７の硫黄被毒回復要求無しと判定してステップ４２１に進む。
上記ＮＯＸ吸蔵還元触媒３７に吸蔵されたＳＯＸが所定値より大きいか否かの判定は次のように行う。まず、触媒３７に吸蔵されたＳＯＸの量を測る。このＳＯＸ量の測定は、空燃比センサ３９により検出される空燃比が機関１をリーン空燃比運転を行うときの空燃比であるときに、機関１の走行距離またはリーン空燃比運転時間を積算して、この積算値を触媒３７に吸蔵されたＳＯＸ量と推定する。次に、この積算値を所定値と比較して上記判定を行う。また、この積算値は触媒の硫黄被毒回復要求が有りから無しに変わった時点でリセットされる。
【００４３】
ステップ４２１では、エアフローメータ１３を通った吸気のみが機関１に流入するように吸気切換弁４１および４２を共に閉弁（図１のイの位置）する。この場合、エアクリーナ１４、吸気通路５１を通過した空気は、吸気切換弁４１により吸気通路２に流入することを遮断され、エアクリーナ１２、吸気通路１１を通過した空気は、エアフローメータ１３、コンプレッサ３５ｂ、吸気通路２を通って機関１に流入する。一方、吸気通路５２を通る空気は、流量制御弁５０を閉じることにより二次空気をＳＣ３６およびＮＯｘ吸蔵還元触媒３７に供給しない。
ステップ４２２では、通常時の空燃比制御を実行する。すなわち、Ａ／Ｆセンサ３９の出力値が目標空燃比となるように燃料噴射量を制御する。
【００４４】
ステップ４０２では、ＮＯｘ吸蔵還元触媒３７の硫黄被毒を回復して早期に排気の浄化を行うため触媒３７に二次空気を供給すべく吸気切換弁４１および４２を共に開弁（図１のロの位置）する。この場合、吸入空気量検出手段（エアフローメータ）１３を通過した空気を過給手段（過給機）３５をバイパスさせて機関１に供給するとともに、エアフローメータ１３を通過しない空気を過給機３５にて過給し、二次空気として触媒３７の上流に供給する。
【００４５】
ステップ４０３〜４０７は機関からの排ガスの空燃比を目標空燃比に制御する一般的な空燃比制御のための処理であり、ステップ４１１〜４１４は触媒３７の硫黄被毒回復要求有りの時の触媒３７への二次空気供給制御のための処理である。
ステップ４０３〜４０５は、それぞれ図３に示す処理ステップ３０３〜３０５に対応し同一であり、ステップ４０６、４０７が図３に示す処理ステップ３０６、３０７と異なるのでステップ４０６、４０７を以下に説明する。
【００４６】
ステップ４０６ではＮＯｘ吸蔵還元触媒３７の直前の空燃比センサ３９の出力値を取込む。
ステップ４０７では、機関１の排気空燃比が、目標空燃比となるように制御されているか否かを判定する。具体的には、空燃比センサ３９の出力値が所定の目標空燃比の範囲内にあるか否かを判定し、その判定結果がＹＥＳのときは機関１は目標空燃比通りに制御されていると判定しステップ４０１に戻り、その判定結果がＮＯのときは機関１は目標空燃比通りに制御されていないと判定してステップ４１４に進む。ここで、この目標空燃比は理論空燃比よりわずかにリーンな空燃比である。
【００４７】
ここで、ステップ４１１、４１２は、それぞれ図３に示す処理ステップ３１１、３１２に対応し同一であり、ステップ４１３、４１４が図３に示す処理ステップ３１３、３１４と異なるのでステップ４１３、４１４を以下に説明する。
ステップ４１３では、二次空気供給用の流量制御弁５０を開弁して吸気通路５１から流入しＭＡＴ３５のコンプレッサ３５ｂを経由して流れる二次空気を全て流量制御弁５０、二次空気通路５４を経由して全て触媒３７上流側の排気通路３に供給する。
ステップ４１４では流量制御弁５０を調節して触媒３７への二次空気量を増減し、ステップ４０６に戻る。この二次空気量の増減は、ステップ４０７の判定時に、空燃比センサ３９の出力値＞＞目標空燃比のときは、空気量が過多と判定し二次空気量を減量し、空燃比センサ３９の出力値＜＜目標空燃比のときは、空気量が過少と判定し二次空気量を増量する。
【００４８】
図５は図１に示す二次空気供給装置における排気冷却制御時の二次空気制御のフローチャートである。本ルーチンのステップ５０１では、排気温センサ４０により機関１の排気温ＥＸＨＴを検出して、ＥＸＨＴが、所定温度、例えば５００°Ｃより大のときは触媒３８の排気冷却要求有りと判定してステップ５０２に進み、所定温度、例えば３００°Ｃ以下のときは触媒３８の排気冷却要求無しと判定してステップ５２１に進む。
【００４９】
ステップ５２１では、エアフローメータ１３を通った吸気のみが機関１に流入するように吸気切換弁４１および４２を共に閉弁（図１のイの位置）する。この場合、エアクリーナ１４、吸気通路５１を通過した空気は、吸気切換弁４１により吸気通路２に流入することを遮断され、エアクリーナ１２、吸気通路１１を通過した空気は、エアフローメータ１３、コンプレッサ３５ｂ、吸気通路２を通って機関１に流入する。一方、吸気通路５２を通る空気は、流量制御弁５０を閉じることにより二次空気をＳＣ３６およびＮＯｘ吸蔵還元触媒３７に供給しない。
ステップ５２２では、通常時の空燃比制御を実行する。すなわち、Ａ／Ｆセンサ３９の出力値が目標空燃比となるように燃料噴射量を制御する。
【００５０】
ステップ５０２では、ＮＯｘ吸蔵還元触媒３７を早期に冷却して触媒３７の温度を許容範囲（ウインドウ）内にするため触媒３７に二次空気を供給すべく吸気切換弁４１および４２を共に開弁（図１のロの位置）する。この場合、吸入空気量検出手段（エアフローメータ）１３を通過した空気を過給手段（過給機）３５をバイパスさせて機関１に供給するとともに、エアフローメータ１３を通過しない空気を過給機３５にて過給し、二次空気として触媒３７の上流に供給する。
ステップ５０３〜５０５は機関からの排ガスの空燃比を目標空燃比に制御する一般的な空燃比制御のための処理であり、ステップ５１１〜５１４は排気冷却要求時の触媒への二次空気供給制御のための処理である。
ステップ５０３ではエアフローメータ１３により計測された吸入空気量Ｑを読取る。
【００５１】
ステップ５０４では読取った吸入空気量Ｑと回転数センサ６２から読取った機関１の回転数ＮＥとから機関１の一回転当たりの吸気量Ｑ／ＮＥを算出し、理論空燃比を目標空燃比とする各気筒の燃料噴射量ＦＩＪ＝（Ｑ／ＮＥ）×ＢＡＦを算出する。ここで、ＢＡＦは機関一回転当たりに単位量（例えば１リットル／回転）の吸気が吸入された場合に機関の燃焼空燃比を目標の理論空燃比にするために必要とされる燃料量である。
ステップ５０５では、所定のクランク角周期に各燃料噴射弁４３からステップ５０４で算出した燃料量ＦＩＪを噴射し、機関１をストイキ燃焼させる。
【００５２】
ステップ５０６では触媒３７の直後の排気温センサ４０の出力値を取込む。
ステップ５０７では、排気温センサ４０の出力値と触媒３７の目標温度とを比較し、排気温センサ４０の出力値が目標温度以下のときは触媒３７が目標温度に達し許容温度範囲内に入ったと判定して本ルーチンを終了し、排気温センサ４０の出力値が目標温度より大のときは触媒３７が目標温度に達しておらず許容温度範囲内に入っていないと判定してステップ５１４に進む。
【００５３】
一方、ステップ５１１では、機関１の回転数ＮＥと吸入空気量Ｑで定まる機関運転状態に応じて予め設定したマップを参照して目標過給圧を設定する。このマップは、アクセル開度センサ（不図示）により検出されるアクセル開度と機関１の回転数ＮＥで定まる機関運転状態に応じて過給圧を設定したものでもよい。
ステップ５１２では、触媒３７の冷却が必要な場合に、機関１を理論空燃比で運転するとともに、圧力センサ１５の出力、すなわち実過給圧がステップ５１１で予め定めた過給圧になるように補助モータ３５ｃの回転数をフィードバック制御する。
【００５４】
ステップ５１３では、二次空気用の流量制御弁５０を開弁して吸気通路５１から流入しＭＡＴ３５のコンプレッサ３５ｂを経由して流れる二次空気を全て流量制御弁５０、二次空気通路５４を経由して全て触媒３７上流側の排気通路３に供給する。
ステップ５１４では流量制御弁５０を調節して触媒３７への二次空気量を増量するよう調節し、ステップ５０６に戻る。
【００５５】
【発明の効果】
以上説明したように、本発明によれば、機関吸気量を正確に算出することにより、機関の空燃比を正確に制御し、機関冷間始動時には触媒に二次空気を供給することにより短時間で触媒温度を活性化温度に到達させ、被毒解消操作時には機関をリッチ空燃比で運転することにより排気中のＨＣやＣＯ成分量を増大させるとともに、触媒に二次空気を供給することにより燃焼に必要な酸素を触媒に供給して効率的に触媒を昇温し、さらにＮＯｘ吸蔵還元触媒を早期に冷却して触媒の温度を許容範囲（ウインドウ）内にするため触媒に二次空気を供給する、内燃機関の二次空気供給装置を提供できる。
【図面の簡単な説明】
【図１】本発明による内燃機関の二次空気供給装置の一実施形態の概略構成図である。
【図２】図１に示す二次空気供給装置に装備されたＥＣＵの説明図である。
【図３】図１に示す二次空気供給装置における機関冷間時の二次空気制御のフローチャートである。
【図４】図１に示す二次空気供給装置における触媒の硫黄被毒回復制御時の二次空気制御のフローチャートである。
【図５】図１に示す二次空気供給装置における排気冷却制御時の二次空気制御のフローチャートである。
【符号の説明】
１…内燃機関
２…吸気通路
３…排気通路
１３…エアフローメータ
１５…圧力センサ
２１…サージタンク
３１…排気マニホルド
３５…過給機（ＭＡＴ）
３５ａ…タービン
３５ｂ…コンプレッサ
３５ｃ…モータ
３６…スタートキャタリスト（ＳＣ）
３７…ＮＯｘ吸蔵還元触媒
３８、３９…空燃比（Ａ／Ｆ）センサ
４０…排気温センサ
４１、４２…吸気切換弁
４３…燃料噴射弁
５０…流量制御弁
５２、５３、５４…二次空気通路
６１…水温センサ
６２…回転数センサ
【図１】
2005016351.tif 000003
【図２】
2005016351.tif 000004
【図３】
2005016351.tif 000005
【図４】
2005016351.tif 000006
【図５】
2005016351.tif 000007